(57)【要約】【課題】  上下に分割されて個別に調整可能に構成されたヘッドレストを有し、アクティブヘッドレストを採用した車両用シートにおいて、後突の際に乗員の頭部を適切に保持すると共に乗員の頸部にかかる負荷を軽減すること。【解決手段】  リクライニング機構を備えた車両用シートのヘッドレストを、シートバックに支持された上部の上ヘッドレスト部と、上ヘッドレスト部に対する前後方向の移動量を調整可能となるように配設される下部移動部とから構成し、アクティブヘッドレストの作動に応じて（Ｓ４０２）、下部移動部１３２が所定の位置となるように制御する（Ｓ４０５）。【選択図】  図４
2006224923.tif 000002
【特許請求の範囲】
【請求項１】
シートバックと、前記シートバックの上端部周辺に設置されるヘッドレストとを備え、
前記ヘッドレストは、該ヘッドレストの上部に位置し、前記シートバックに支持された上ヘッドレスト部と、該上ヘッドレスト部の下方側で、前記上ヘッドレスト部に対する前後方向の移動量を調整可能となるように配設される下部移動部とから構成される車両用シートにおいて、
後突時に、少なくとも前記ヘッドレストを前方に変位させる後突用ヘッドレスト可動手段を備え、
前記後突用ヘッドレスト可動手段の作動に対応して、前記下部移動部が前記上ヘッドレスト部に対して後方移動が可能に構成されていることを特徴とする車両用シート。
【請求項２】
前記後突用ヘッドレスト可動手段は、
前記シートバック内に配置され、乗員の上体の後方変位に伴って後方変位する荷重受け部と、
前記荷重受け部の後方変位に伴って前記ヘッドレストを前方変位させる前方変位手段と、を備えることを特徴とする請求項１に記載の車両用シート。
【請求項３】
前記下部移動部は、衝突時に乗員からの該下部移動部に対する後方への慣性力によって、前記後方移動が可能なように構成されており、前記下部移動部の底面前側面の曲率半径が１０ｍｍ以上であることを特徴とする請求項１に記載の車両用シート。
【発明の詳細な説明】
【技術分野】
【０００１】
本発明は、車両用シートに関し、特に、ヘッドレストが上下に分割されて個別に調整可能に構成された車両用シートにおける後突時の制御に関する。
【背景技術】
【０００２】
従来から、車両用シートにおいては、乗員の頭部を適切に支持するためには、ヘッドレストの高さや角度を調整する必要がある。
【０００３】
このため、ヘッドレストの一部を独立して調整可能に構成したものがある（特許文献１）。特許文献１に記載された構成は、ヘッドレストの下部に前方から見てＵ字型となり、シートの側部方向に延設される軸を中心に回動する下部回動部を設け、下部回動部の両端が前方に位置するように回動されることで、頭部の横方向の揺れを抑制するものである。
【０００４】
一方、ヘッドレストの前方下部に、乗員の頸部を支持すべく、取り付け自在の枕を設置したものも知られている（特許文献２）。特許文献２に記載された構成は、シートとは別体の枕を後から設置するものである。
【特許文献１】特開平９−０７５１６７号公報
【特許文献２】登録実用新案第３０９１８９７号公報
【発明の開示】
【発明が解決しようとする課題】
【０００５】
上記のような従来の車両用シートにおいて、後突つまり車両後方側からの後面衝突の際の働きを検討する。特許文献１に記載された構成は、Ｕ字型の部分を回動することで両端部分で頭部の横方向の揺れを抑制するものであるが、後突時に乗員の頭部や頸部を支持したり保持するものではない。
【０００６】
一方、特許文献２に記載された構成では、乗員の頸部や後頭部周辺を支持するように枕を取り付け可能であるが、枕の取り付け位置によっては、後突の際に乗員の頸部にかかる負荷を軽減することができなくなってしまう。すなわち、後突の際のヘッドレストと枕との位置関係を制御するものではない。
【０００７】
後突の際には乗員の頭部には上半身と異なる向きや大きさの力が働き易く、このため頸部への負荷が増大してしまう。
【０００８】
近年、後突時に生じる乗員の上体の後方への変位を利用して機械的にヘッドレストを前方に変位させる、アクティブヘッドレストと呼ばれる機構を有する車両用シートが知られている。このようなアクティブヘッドレストは、ヘッドレストが一体的に構成されていることを前提としており、ヘッドレストが上下に分割されて個別に調整可能な構成に単純に採用しても有効な効果が得られない場合が生じる。
【０００９】
すなわち、上下に分割されて個別に調整可能に構成されたヘッドレストを有する車両用シートにおいては、このようなアクティブヘッドレストを採用しても、２つの部分の位置関係によっては乗員の頭部を適切に保持できず、このため頸部にかかる負荷を軽減できない場合が生じる。
【００１０】
本発明は上記従来技術の課題を解決するためになされたものであり、その目的とするところは、上下に分割されて個別に調整可能に構成されたヘッドレストを有し、アクティブヘッドレストを採用した車両用シートにおいて、後突の際に乗員の頭部を適切に保持すると共に乗員の頸部にかかる負荷を軽減することにある。
【課題を解決するための手段】
【００１１】
上記目的を達成するため、本発明の一態様としての車両用シートは、
シートバックと、前記シートバックの上端部周辺に設置されるヘッドレストとを備え、
前記ヘッドレストは、該ヘッドレストの上部に位置し、前記シートバックに支持された上ヘッドレスト部と、該上ヘッドレスト部の下方側で、前記上ヘッドレスト部に対する前後方向の移動量を調整可能となるように配設される下部移動部とから構成される車両用シートにおいて、
後突時に、少なくとも前記ヘッドレストを前方に変位させる後突用ヘッドレスト可動手段を備え、
前記後突用ヘッドレスト可動手段の作動に対応して、前記下部移動部が前記上ヘッドレスト部に対して後方移動が可能に構成されていることを特徴とする。
【００１２】
この構成によれば、後突時にヘッドレストが前方に変位すると共に、下部移動部の上ヘッドレスト部に対する後方移動が可能となる。このため、後突時に頸部や頭部と下部移動部との当接を緩和して、頭部と前方変位する上ヘッドレスト部との当接が促進されるので、後突時に乗員の頭部の保持を適切な姿勢で行うことができる。
【００１３】
前記後突用ヘッドレスト可動手段は、
前記シートバック内に配置され、乗員の上体の後方変位に伴って後方変位する荷重受け部と、
前記荷重受け部の後方変位に伴って前記ヘッドレストを前方変位させる前方変位手段と、を備えることを特徴とする。
【００１４】
この構成によれば、機械式のアクティブヘッドレスト機構を有する車両用シートは、後突時に乗員の上体の後方変位が大きくなるように構成して、上体の後方変位の検知性を高めて、ヘッドレストの前方移動を促進させているものが多いが、このような構成においても、乗員の頸部と下部移動部との当接を緩和することができる。
【００１５】
前記下部移動部は、衝突時に乗員からの該下部移動部に対する後方への慣性力によって、前記後方移動が可能なように構成されており、前記下部移動部の底面前側面の曲率半径が１０ｍｍ以上であることを特徴とする。
【００１６】
この構成によれば、後突時の乗員の後方かつ斜め上方への変位に対して、乗員の頸部から背中にかけての部位と、下部移動部との強い接触を軽減しつつ、乗員の後頭部からの押圧力を利用して下部移動部をより効率的に後方移動させることができる。
【発明の効果】
【００１７】
本発明によれば、上下に分割されて個別に調整可能に構成されたヘッドレストを有する車両用シートにおいて、後突時に頸部や頭部と下部移動部との当接を緩和して、頭部と前方変位する上ヘッドレスト部との当接が促進されるので、後突時に乗員の頭部の保持を適切な姿勢で行うことができる。
【発明を実施するための最良の形態】
【００１８】
以下に、図面を参照して、この発明の好適な実施の形態を例示的に詳しく説明する。ただし、この実施の形態に記載されている構成要素はあくまで例示であり、本発明の範囲をそれらのみに限定する趣旨のものではない。
【００１９】
＜第１の実施形態＞
（車内レイアウト）
図８は、本発明に係る車両用シートが取り付けられる車内のレイアウトを模式的に示す概略図である。
【００２０】
図８において、フロアパネル１、フロントガラス２、ルーフパネル３および後部隔壁４で仕切られた車室８内に、フロントシート１０とリアシート２０とが２列取り付けられている。
【００２１】
フロントシート１０は、運転席用と助手席用との２つがあり、それぞれエンジンルーム５及びステアリングシャフト７に取り付けられたステアリング６に対する水平方向前後位置の調整（スライド）、及びフロアパネル１に対する鉛直方向位置の調整が可能にフロアパネル１に取り付けられており、座面となるシートクッション１１、背もたれとして機能するシートバック１２及びシートバックの上端部に設置されるヘッドレスト１３で構成されている。２つのフロントシート１０は、シートバック１２の鉛直方向に対する角度をそれぞれ独立に調整可能である。
【００２２】
リアシート２０も、フロントシートと同様に、座面となるシートクッション２１、背もたれとして機能するシートバック２２及びシートバック上端部に設置されるヘッドレスト２３で構成されているが、シートクッション２１及びシートバック２２は全体として１つの長い面を有し、水平方向位置や鉛直方向位置の調整は不能に取り付けられている。リアシート２０は、２名着席時にはそれぞれ独立してシートバック２２の鉛直方向に対する角度を調整可能なように、シートバック１１が分割されており、分割された２つの部分に対応してヘッドレスト２３も２つ設けられている。
【００２３】
なお、車両の仕様等に応じて、リアシートを分割可能な２つの部分を有する１つの面で構成せずに、フロントシートと同様な独立した２つのシートとしてもよいのはもちろんである。
【００２４】
以下の説明では、本発明に係る車両用シートの例としてフロントシートの助手席に取り付けられた車両用シートについて詳細に説明するが、本発明に係る車両用シートは、所望する仕様等に応じてリアシート等に取り付けられてもかまわない。ただし、本発明に係る車両用シートは、後傾（リクライニング）時に乗員の頭部を快適な姿勢で保持することを目的としているものであるので、運転席以外の位置に取り付けるのがよい。
【００２５】
（リクライニング機構）
図９は、本発明に係る車両用シートのリクライニング機構を説明する部分拡大図である。
【００２６】
図９において、シートクッションに固定されるクッション支持プレート１１５と、シートバックに固定されるバック支持プレート１１６の下端に連結された回動プレート１１７とが回動軸１７０で回動可能に連結されている。該回動プレート１１７は、下部外周に所定長のギア部１７１が形成され、所定位置に係合部１７２が設けられ、該系合部１７２に回動プレート１１７を反時計方向に付勢するバネ１１８の一端を係合させ、バネ１１８の他端はクッション支持プレート１１５に固定された支持ブラケット１８１に係合されている。回動プレート１１７のギア部１７１噛み合うギア部１９１を一端に備えたロックプレート１１９の他端がピン１９０でクッション支持プレート１１５に回動自在に軸支され、ロックプレート１１９のギア部１９１と反対側に係合部１９２が形成されている。
【００２７】
操作レバー１０４は、基部がピン１４０でクッション支持プレート１１５に回動自在に軸支され、操作レバーを図中の時計方向に付勢するバネ１２０の一端が係合される係合部１４３と、ロックプレート１１９の係合部１９２に当接する係合部１４２とを備えている。この操作れベー１０４を図における時計方向に回動させると、操作レバー１０４の係合部１４２とロックプレート１１９の係合部１９２との係合が解除され、回動プレート１１７が回動可能となる。この状態でシートバックを図中右側である後方へ加重をかけると後傾（リクライニング）状態となり、シートバックに加重をかけないと、バネ１１８の力により立設状態へ戻る。
【００２８】
（調整の概略説明）
以上説明したようなリクライニング機構を有する、本実施形態の車両用シートにおけるシートバックの角度変化に対応したヘッドレストの調整について詳細に説明する。
【００２９】
図１は、本実施形態の車両用シートのシートバックを水平側へ角度変化させた後傾状態（リクライニング状態、或いは寝かせた状態）を示す図であり、図２は、図１の状態からシートバックを鉛直側へ角度変化させた立設状態（倒立状態、或いは起こした状態）を示す図である。
【００３０】
図１において、車両用シート１０は、シートクッション１１、シートバック１２、ヘッドレスト１３から構成され、車両用シート１０に対して乗員２０の移動量を下腹部及び胸部で規制する３点式のシートベルト１４を備えている。シートクッション１１は、シートスライド上部１１１に固定され、シートスライド上部１１１は前後方向にスライド可能にシートスライド下部１１２と結合されており、シートスライド下部１１２はシートマウント前部１１３及びシートマウント後部１１４によってフロアパネルに結合されている。また、本実施形態の車両用シート１０は、シートバック１２の角度を検知すべく、シートバック１２の回動軸（ヒンジ）１７０の回転角度（の変化）に対応した信号を出力するエンコーダ等を含むセンサ１７５が内蔵されている。
【００３１】
ヘッドレスト１３は、シートバック１２の上端部周辺に設置され、支持バーによってシートバックに支持された上ヘッドレスト部として機能するヘッドレスト本体１３１と、該ヘッドレスト本体１３１の下方に位置し、ヘッドレスト本体１３１に対して前後方向に移動量が調整可能に配設された下部移動部として機能するネックレスト１３２の２つの部分から構成されている。ネックレストは、上ヘッドレストのシート幅方向の両側に夫々位置し、ネックレストが上ヘッドレストの下側に位置している場合において、その上部が上ヘッドレストのシート幅方向に沿った横軸に軸支される２つの連結部と、夫々の連結部の下部に接続され、シート幅方向に沿って延設されるネックサポート部とにより構成される。本実施形態では、後述するようにネックレスト１３２はヘッドレスト本体１３１とヘッドレスト本体の上部の両側で回動可能に結合されており、ヘッドレスト本体１３１に対する角度θを調整することで、ヘッドレスト本体１３１に対する前後方向移動量を調整可能となっている。
【００３２】
図１に示す後傾状態において、ヘッドレスト本体１３１は乗員２０の後頭部を支持すべくシートバック１２からの距離（高さ）を調整され、ネックレスト１３２は、乗員の頸部を支持すべくヘッドレスト本体１３１に対する角度θの調整により、前後方向移動量が調整されている。図示されたように、通常後傾状態において乗員の後頭部を支持するように調整すると、ヘッドレスト本体１３１の高さは低くなり、乗員の頸部を支持するように調整すると、ネックレスト１３２のヘッドレスト本体１３１に対する前方への移動量が大きくなる（θが大きくなる）。
【００３３】
ここで、乗員がシートベルト１４をした状態で、図１に示す後傾状態から図２に示す立設状態へシートバック１２の角度を変更すると、シートバック１２の角度変化の回動軸１７０と乗員２０の角度変化の支点とがずれているため、ヘッドレスト本体１３１の高さ及びネックレスト１３２の前後方向移動量を再度調整する必要が生じる。図２に示すように、立設状態においては乗員の後頭部を適切に支持するためには、シートクッション１１の沈み込み量が増えることを考慮しても、ヘッドレスト本体１３１を高くする（上方へ移動させる）必要が生じ、後突時などの際に乗員の頭部及び頸部への負担を軽減したり、ネックレストによる、頭部や頸部の保持を快適な状態に維持するためには、ヘッドレスト本体１３１とネックレスト１３２の両側部との段差によって乗員の頭部や頸部に、上体と異なる向きや異なる大きさの荷重がかからないようにするため、ネックレスト１３２をヘッドレスト本体１３１に対して後方へ移動させる（θを小さくする）のが好ましい。
【００３４】
このように、ヘッドレスト１３がヘッドレスト本体１３１とネックレスト１３２との２つの部分からなる構成においては、シートバック１２の角度変化に対応して、ヘッドレスト本体１３１の高さの調整と、ネックレスト１３２の前後方向移動量の調整との２つの調整が必要となり、煩わしい。本実施形態ではこのような調整の煩わしさを軽減すべく、シートバックの角度変化をセンサ１７５で検知して、ヘッドレスト本体１３１の高さの調整と、ネックレスト１３２の前後方向移動量の調整との２つの調整を自動的に行う調整手段を備えている。
【００３５】
すなわち、本実施形態の調整手段は、図１の後傾状態から図２の立設状態への角度変更に対応して、ヘッドレスト本体１３１の高さを高くすると共に、ネックレスト１３２を後方へ移動させる。また、図２の立設状態から図１の後傾状態への角度変化に対応して、ヘッドレスト本体１３１の高さを低くすると共に、ネックレスト１３２を前方へ移動させる。ただし、この立設状態（図２）から後傾状態（図１）への角度変更の際には、ヘッドレスト本体１３１とシートバック１２の上端部とが接触しないように、ヘッドレスト本体１３１の下方側への移動量を抑制して両者の間の距離ｈが所定の距離以上となるようにしている。これは、例えば、乗員の髪や衣類などがヘッドレスト本体１３１の下部とシートバック１２の上端部との間に挟まれるのを防止するためである。
【００３６】
なお、これらヘッドレスト本体１３１の高さ及びネックレスト１３２の前後方向移動量は、いずれもマニュアルでも調整可能である。特に、ネックレストの前後方向移動量（角度θ）に関しては、例えば、シートバックが少なくとも立設状態であるときに、乗員が所定値（例えば、車両前後方向水平において、３０〜１００Ｎ）以上の押圧力でネックレスト１３２を押圧することにより、ネックレスト１３２の前後方向移動量が調整可能なように、ネックレスト１３２とヘッドレスト１３１との間の摺動抵抗（摩擦）を利用した機構や、ネックレスト１３２の回動の軸支部におけるフリクション機構が設けられていても良い。
【００３７】
（調整手段）
図３は、本実施形態の調整手段の構成例を示す部分透視図である。ヘッドレスト１３は、正面から見て中央及び上部側に位置し、シートバック１２に２つの支持バー１３１５及び１３１６によって支持されるヘッドレスト本体１３１と、正面から見てヘッドレスト本体１３１の両側部から下方に伸延するＵ字型の形状であり、ヘッドレスト本体１３１を貫通し、軸支部１３１３でヘッドレスト本体１３１に固定された回動軸１３１４によってヘッドレスト本体１３１の両側に回動可能に結合されたネックレスト１３２とから構成されている。ヘッドレスト本体１３１内には、ヘッドレスト本体１３１に対するネックレスト１３２の角度を制御するためのモータ１３１１、該モータ１３１１の回転軸に係合し、回動軸１３１４に結合されたギア１３１２が設けられており、モータ１３１１はシートバック１２内に設けられた駆動ボックス１２３からの信号に応じて駆動される。
【００３８】
一方、シートバック１２内には、シートバックフレーム１２１、該シートバックフレーム１２１に回転軸スリーブ１２４によって連結され、乗員のシートバックに対する押圧力（荷重）に応じて回動（変位）する荷重受け板１２２、ヘッドレスト１３の高さを調整する駆動ボックス１２３が設けられている。また、回転軸スリーブ１２４にはヘッドレスト本体１３１に取り付けられた２本の支持バーを上下方向の高さ調整可能に保持する支持バー用スリーブ１２５が取り付けられている。従って後突時に乗員の上体が後方変位すると、荷重受け板１２２が後方へ回動され、これに伴って回転軸スリーブ１２４及びヘッドレスト本体１３１に取り付けられた２本の支持バーが回動することにより、ヘッドレスト１３が前方へ変位する。駆動ボックス１２３には、ヘッドレストの高さを制御するためのモータ１２３１、モータ１２３１の回転軸に係合するギア１２３２、及び不図示の演算装置等が含まれている。なお、荷重受け板１２２は、シートバックフレーム１２１に結合されていなくてもよく、回動軸がシートバックフレーム１２１から独立していても良い。
【００３９】
本実施形態の調整手段のシートバックの角度変更に伴う動作を説明すると、シートバック１２の角度を検知するセンサ１７５からの信号が駆動ボックス１２３に入力されると、不図示の演算装置（ＣＰＵ）によって該信号からシートバックの角度変化の有無が判定され、角度変化がある場合には変更角度の方向及び大きさが判定される。そして、演算装置は、変更角度の方向及び大きさに応じてヘッドレスト１３の高さ及びネックレストの前後方向移動量（角度θ）を算出し、ヘッドレストの高さを制御するためのモータ１２３１及びネックレストの前後方向移動量（角度θ）を制御するためのモータ１３１１に対する駆動信号を出力する。この２つのモータに対する駆動信号に応じて、モータ１２３１及び１３１１が駆動されてヘッドレストの高さ及びネックレストの前後方向移動量が調整される。
【００４０】
なお、ヘッドレスト本体１３１の高さを制御するモータ１２３１及びネックレスト１３２の角度を制御するモータ１３１１は、駆動ボックス１２３内の演算装置から出力されるパルス数に応じて回転角度を制御可能なモータであり、例えば、ステッピングモータ或いはサーボモータなどが用いられる。
【００４１】
（後突時の動作）
本実施形態の車両用シートは、上述のように後突時にヘッドレストを前方に変位させるアクティブヘッドレスト機構を有しているが、この後突時の作動に対応してネックレスト１３２がヘッドレスト本体１３１に対して後方へ移動可能となるように構成されている。この後突時の動作に関して図５から図７を参照して説明する。
【００４２】
図５は、シートバック１２の角度が立設状態に近い状態で、乗員の嗜好によってネックレスト１３２が前方に大きく移動させられている場合におけるアクティブヘッドレスト機構の作動を示している。図５では後突前の状態を破線ａ、後突時の状態を実線、後突後の状態を破線ｂでそれぞれ示している。破線ａで示す状態で後突が生じると、乗員２０の上体にはシートバック１２に押し付けられる力が働き、シートバック１２は後傾すると共に大きく沈み込み荷重受け板１２２が後方へ変位する。これに伴って回転軸スリーブに結合されているヘッドレスト１３が前方へ変位して実線で示す状態となる。その所定時間後にはシートバックには後傾を戻す復元力が働き、破線ｂで示す状態となる。
【００４３】
ここでネックレスト１３２が前方へ大きく移動させられていると、実線で示す後突時にネックレスト１３２が乗員の頸部に強い力で当接するため、乗員の頭部がやや上を向いた状態となる。このような状態でシートバックの後傾が戻ると、頭部及び頸部には上体と異なる方向に力が作用するため、乗員は不快感や違和感を感じる。機械式のアクティブヘッドレストを採用している車両用シートでは、荷重受け板１２２が後突時に変位しやすいようにシートバックの沈み込み量を大きく設計する傾向があるので、後突時にこのような不都合が生じやすい。
【００４４】
本実施形態ではこのような不都合を防止すべく、後突時のアクティブヘッドレストの作動に対応させて、ネックレスト１３２がヘッドレスト本体１３１に対して後方移動が可能となるようにしている。本実施形態では、後突時のアクティブヘッドレストの作動を検出して、ネックレスト１３２の移動（回動）を制御しているモータ１３１１によってネックレスト１３２の後方（角度θが小さくなる方向）への移動を可能とする。アクティブヘッドレストの作動の検出は、荷重受け板１２２の回動を検出しても良いし、荷重受け板１２２と共に回動する支持バー１３１５及び１３１６やヘッドレスト本体１３１の動きを検出しても良い。更に検出の方式は電気的であっても機械的であっても良い。
【００４５】
この際の後方への移動は、モータ１３１１に駆動信号を与えることによって、所定の位置（例えば、角度θが２０度以下となる位置）まで移動させてもよいし、モータ１３１１に特定のコマンド等を送信することによってネックレスト１３２が乗員から受ける荷重によって後方への移動を許容するようにしてもよい。いずれにしても、図５において破線ａで示す状態からｂで示す状態に変化した場合において、乗員の頸部に所定値以上の力がかからない後方位置への移動が行われるようにすればよい。
【００４６】
図６は、図５の破線ｂで示す後突後によて生じたシートバックの後傾が戻った状態をより詳細に示した図である。ここでは、本実施形態の調整手段によってネックレスト１３２が後方位置へ移動する状態を示している。図示した例では、後突時のアクティブヘッドレストの作動の検出に対応して、モータ１３１１を駆動してネックレスト１３２を初期位置まで戻している。
【００４７】
図７は、後突時におけるヘッドレストに対する乗員の頭部の相対的変位を示す図である。通常の状態で乗員の頭部はＡで示す位置にあるが、後傾時には上体のシートバックへの沈み込み及びシートバックの後傾により一旦Ｂで示す位置まで下方に移動し、その後生じるシートバックの戻りにより、乗員もＡで示す位置まで斜め後方かつ上方に移動する。このときネックレスト１３２の乗員の頸部又は後頭部の下部に当接する部分の曲率半径が小さい（角がある、又は尖っている）と、乗員の頸部や頸から背中にかけての部位の一部だけに力が作用することとなり、好ましくない。また、ネックレスト１３２が乗員から受ける荷重によって後方へ移動するような構成においては、ネックレスト１３２の乗員の頸部又は頸部から背中にかけての後方側に緩やかに湾曲した部位に当接する部分の曲率半径が小さいと、ネックレストが後方へ移動しにくくなってしまう。特に、アクティブヘッドレストにより、後突時に乗員の頭部が前方へ変位する場合には、乗員の頸部から背中に変位が大きくなるので、ネックレストが後方へ移動しにくい。
【００４８】
本実施形態では、ネックレスト１３２が乗員から受ける荷重によって後方へ移動しやすいように、ネックレスト１３２の底面前側面の曲率半径を大きくしている。ネックレスト１３２の底面前側面の曲率半径は、具体的には１０ｍｍ以上とするのがよい。
【００４９】
（制御フロー）
本実施形態の調整手段による処理のフローについて、図４のフローチャートを参照して説明する。
【００５０】
最初に、現在のデータとして、荷重受け板の状態、センサ１７５の出力に基づくシートバックの角度やヘッドレストの高さ、ネックレストの角度を求める（ステップＳ４０１）。なお、荷重受け板の状態以外のデータに関しては、車両の電気回路が起動されたときにこれらのデータを求め、その値を駆動ボックス内に設けた不図示のメモリ（ＲＡＭ等）に記憶しておくように構成すれば、この処理が起動されたときにはメモリに記憶されている値を読み出せばよい。
【００５１】
次に、アクティブヘッドレストが作動したか否かを荷重受け板の状態を検出するセンサにより判定する（ステップＳ４０２）。なお、車体後部に設けた加速度センサにより後突を検出してもよい。
【００５２】
そして、アクティブヘッドレストが作動していない場合には、乗員の操作によりシートバックの角度が変更されたか否かを判定する（ステップＳ４０３）。これはシートバックの角度を検知するセンサ１７５の信号出力を監視することで行われる。
【００５３】
シートバックの角度変化が検知された場合、駆動ボックス１２３内の演算装置によって、センサ１７５の信号出力に基づいてシートバックの角度を算出し、算出したシートバックの角度に対応したヘッドレストの高さ及びネックレストの角度を算出して、それぞれのモータを駆動してヘッドレストの高さ及びネックレストの角度を調整する（ステップＳ４０４）。
【００５４】
ステップＳ４０４においては、シートバックの角度変化が水平方向への角度変化である場合には、駆動ボックス１２３内の演算装置によって算出されたヘッドレストの高さが所定値未満であれば、算出結果を強制的に所定値に置き換え、ヘッドレストの下部とシートバック上端との間隔が所定値未満とならないようにする。
【００５５】
ステップＳ４０２でアクティブヘッドレストの作動が判定された場合、ネックレストの位置が初期位置からの回動角度θが所定角度（２０度）以下の後方位置となるように、ネックレストの回動角度θを制御すべくモータ１３１１に対する駆動信号を出力する（ステップＳ４０５）。
【００５６】
ここで、アクティブヘッドレストの作動とネックレストの後方への移動は実質的に同時に行われても良いし、両者の間に時間のずれ、すなわち遅延時間或いはタイムラグがあっても良い。
【００５７】
また、上述のように、車両の電気回路が起動されたときに求めた値を駆動ボックス内に設けた不図示のメモリに記憶しておく構成においては、ステップＳ４０４又はＳ４０５の後に、調整された値を現在のデータとして更新するのが好ましい。
【００５８】
以上説明したように本実施形態によれば、後突時にヘッドレストが前方に変位すると共に、下部移動部が上ヘッドレスト部に対して所定の位置まで後方移動される。このため、後突時に頸部や頭部と下部移動部との当接を緩和して、頭部と前方変位する上ヘッドレスト部との当接が促進されるので、後突時に乗員の頭部の保持を適切な姿勢で行うことができる。
【００５９】
（変形例）
上記の実施形態では、ヘッドレスト本体１３１の高さ及びネックレスト１３２の前後方向移動量（初期位置からの回動角度θ）をいずれもモータで電気的に制御する構成を例に挙げて説明したが、ネックレスト１３２の前後方向移動量（回動角度θ）については乗員がマニュアルで調整する機械的構成としても良い。
【００６０】
例えば、ラチェット機構などを用いてネックレスト１３２のヘッドレスト本体１３１に対する角度を複数段階に調整可能な構成としても良い。この場合、ネックレスト１３２を最大可動位置まで回動させるとラチェット機構が解除され、初期位置まで復帰可能な構成とするのが良い。
【００６１】
このような機械的構成においては、図４の制御フローにおいてアクティブヘッドレストの作動に応じて、ステップＳ４０５でラチェット機構を解除すればよい。この場合、後突時に乗員の後頭部から受ける荷重によりネックレストが自然に初期位置側へ戻るように、ラチェット機構を解除したときにわずかな荷重でネックレスト１３２が戻るようにするのがよい。
【００６２】
このようにすると、構成を簡素化しつつ、上記の実施形態と同様な効果が得られる。
【００６３】
＜他の実施形態＞
尚、本発明は実施形態に限定されるものではなく、当業者によって考え得るその他の種々の実施形態を包含するものである。
【００６４】
上記実施形態では、ヘッドレストが中央部及び上方のヘッドレスト本体とＵ字型のネックレストからなる構成としているが、ヘッドレストの構成や形状はこれに限らず、ヘッドレスト本体及び／又はネックレストの形状並びに構成を様々なものとすることができる。例えば、ネックレスト（下部移動部）はヘッドレスト本体（上ヘッドレスト部）に対して相対的に前後方向の移動あるいは回動が可能であれば良い。
【００６５】
また、上記実施形態では、シートバック内部に演算装置を有する駆動ボックスが設けられる構成について例示的に説明したが、演算装置や駆動ボックスは車両の構成や仕様に応じて適切な位置に設けられれば良く、これらが設けられる位置は上記の例に限定されない。
【００６６】
更に、後突時にヘッドレストを前方へ変位させる構成は、上記の機械式アクティブヘッドレストに限定されず、様々な方式のものが使用できる。
【図面の簡単な説明】
【００６７】
【図１】本発明の実施形態の車両用シートのシートバックを水平側へ角度変化させた後傾状態を示す図である。
【図２】本発明の実施形態の車両用シートのシートバックを鉛直側へ角度変化させた立設状態を示す図である。
【図３】実施形態の調整手段の構成例を示す部分透視図である。
【図４】実施形態の調整手段による調整処理のフローチャートである。
【図５】後突時のシート及び乗員の動きを説明する図である。
【図６】図５のｂで示す状態を詳細に示す図である。
【図７】後突時におけるヘッドレストに対する乗員の頭部の相対的変位を示す図である。
【図８】本発明に係る車両用シートが取り付けられる車内のレイアウトを模式的に示す概略図である。
【図９】本発明に係る車両用シートのリクライニング機構を説明する部分拡大図である。
【符号の説明】
【００６８】
１０  車両用シート
１１  シートクッション
１２  シートバック
１３  ヘッドレスト
２０  乗員
１０４  操作レバー
１３１  ヘッドレスト本体
１３２  ネックレスト
１７０  回動軸
１７５  センサ
【図１】
2006224923.tif 000003
【図２】
2006224923.tif 000004
【図３】
2006224923.tif 000005
【図４】
2006224923.tif 000006
【図５】
2006224923.tif 000007
【図６】
2006224923.tif 000008
【図７】
2006224923.tif 000009
【図８】
2006224923.tif 000010
【図９】
2006224923.tif 000011